(57)【要約】ＴＤＤ  ＣＤＭＡ通信システムにおけるダウンリンクＪＤ（接続検出）を実現するための方法及び装置において、ＵＥにおいて実行されるステップは：ネットワークシステムからのダウンリンク信号を特定タイムスロット中で受信するステップと；前記ダウンリンク信号を処理することによって、前記特定タイムスロット中のアクティブな一次及び二次チャンネル化コードを取得するステップと；前記一次及び二次チャンネル化コードを用いることにより前記ダウンリンク信号に対してＪＤを実行することによって、次のフレーム内でＪＤを実現するに当たり使用する初期ＡＣＣ（アクティブ・チャンネル化コード）情報を取得するステップから成る。ＡＣＣ専用チャンネルはＦＰＡＣＨ上で送信され、前記二次チャンネル化コードに関する情報を搬送する。
2007531371.tif 000002
【特許請求の範囲】
【請求項１】
ユーザ装置（ＵＥ）において実現される、ＴＤＤ  ＣＤＭＡシステムにおけるダウンリンク接続検出（ＪＤ）を実現する方法において：
(a) ネットワークシステムからのダウンリンク信号を特定タイムスロット中で受信するステップと；
(b) 前記ダウンリンク信号を処理することによって、前記特定タイムスロット中のアクティブな一次及び二次チャンネル化コードを取得するステップと；
(c) 次の無線フレーム内でＪＤを実現するに当たり使用する初期アクティブ・チャンネル化コード（ＡＣＣ）を、前記一次及び二次チャンネル化コードを用いることにより前記ダウンリンク信号に対してＪＤアルゴリズムを実行することによって取得するステップと
を具えていることを特徴とするダウンリンクＪＤの実現方法。
【請求項２】
ステップ(b)が：
(b1) 前記ダウンリンク信号に対してチャンネル推定を実行して、前記特定タイムスロット中のアクティブな前記一次チャンネル化コードを取得するサブステップと；
(b2) チャンネル化コード割り当て規則において予め規定された、前記一次チャンネル化コードと前記二次チャンネル化コードとの関係により、前記特定タイムスロット中のアクティブな前記二次チャンネル化コードを特定するサブステップと
を含むことを特徴とする請求項１に記載の方法。
【請求項３】
(b1) 前記ダウンリンク信号に対してチャンネル推定を実行して、前記特定タイムスロット中のアクティブな前記一次チャンネル化コードを取得するサブステップと；
(b2) 特定のダウンリンク情報中の予約ビットによって構成される前記二次チャンネル化コードの指示情報により、前記特定タイムスロット中のアクティブな前記二次チャンネル化コードを特定するサブステップと
を含むことを特徴とする請求項１に記載の方法。
【請求項４】
前記特定のダウンリンク情報が、高速物理アクセスチャンネル（ＦＰＡＣＨ）情報であることを特徴とする請求項３に記載の方法。
【請求項５】
ステップ(c)が：
前記一次及び二次チャンネル化コードを用いることによって、ＡＣＣ専用チャンネル上で転送される前記ダウンリンク信号に対してＪＤアルゴリズムを実行して、前記初期ＡＣＣ情報を取得するサブステップを含み、前記ＡＣＣ専用チャンネルは、前記特定タイムスロット中の事前選択したコードチャンネルであることを特徴とする請求項１に記載の方法。
【請求項６】
前記事前選択したコードチャンネルが２つのコードチャンネルであり、前記２つのコードチャンネルが使用する一対のチャンネル化コードに対応するミッドアンブルは、広報チャンネル（ＢＣＨ）が使用するミッドアンブルとは異なり、ＢＣＨが伝送ダイバーシティを採用している際には、基地局によって予約されたミッドアンブルとも異なることを特徴とする請求項５に記載の方法。
【請求項７】
さらに：
前記初期ＡＣＣ情報を用いることによって、前記次の無線フレーム内の前記ＡＣＣ専用チャンネルに対してＪＤアルゴリズムを実行して、後続の無線フレーム用のＡＣＣ情報を取得するステップと；
前記初期ＡＣＣ情報を用いることによって、前記次の無線フレーム内で前記ネットワークシステムから受信した信号に対してＪＤアルゴリズムを実行して、前記ネットワークシステムからの情報を復調するステップと
を具えていることを特徴とする請求項６に記載の方法。
【請求項８】
さらに：
無線フレーム内の前記ＡＣＣ専用チャンネルに対して、当該無線フレームの前の無線フレーム内で得られたＡＣＣ情報を用いることによってＪＤアルゴリズムを実行して、後続の無線フレームについてのＡＣＣ情報を取得するステップと；
前記前の無線フレーム内で得られたＡＣＣ情報を用いることによって、前記無線フレーム内で前記ネットワークシステムから受信した信号に対してＪＤアルゴリズムを実行して、前記ネットワークシステムからの情報を復調するステップと
を具えていることを特徴とする請求項６または７に記載の方法。
【請求項９】
さらに：
前記ネットワークシステムからシステム情報を受信するステップと；
前記システム情報により、ＦＰＡＣＨが存在するか否かを判定するステップと；
ＦＰＡＣＨが存在する場合に、前記システム情報中のミッドアンブル・シフトにより、前記ＦＰＡＣＨがアクティブであるか否かを判定するステップと
を具えていることを特徴とする請求項８に記載の方法。
【請求項１０】
さらに：
前記システム情報により、前記ネットワークシステムが共通ミッドアンブルを採用して信号を伝送しているか否かを判定するステップと；
前記ネットワークシステムが共通ミッドアンブルを採用して信号を伝送している場合に、チャンネル化コード数と前記ミッドアンブル・シフトと前記ＡＣＣ情報との関係により、前記ＦＰＡＣＨがアクティブであるか否かを判定するステップと
を具えていることを特徴とする請求項９に記載の方法。
【請求項１１】
さらに：
前記システム情報により、前記ネットワークシステムが共通ミッドアンブルを採用して信号を伝送しているか否かを判定するステップと；
前記ネットワークシステムが共通ミッドアンブルを採用して信号を伝送している場合に、前記システム情報中で指定された特定ミッドアンブルと前記ＦＰＡＣＨとの関係により、前記ＦＰＡＣＨがアクティブであるか否かを判定するステップと
ことを特徴とする請求項９に記載の方法。
【請求項１２】
さらに：
前記ＡＣＣ情報、及び前記アクティブなＦＰＡＣＨのチャンネル化コードに応じて、前記ネットワークシステムからダウンリンク・タイムスロット中で受信した信号に対してＪＤアルゴリズムを実行するステップを具えていることを特徴とする請求項９〜１１のいずれかに記載の方法。
【請求項１３】
さらに：
前記システム情報により、前記ネットワークシステムがビーム形成を採用して信号を伝送しているか否かを判定するステップと；
前記ネットワークシステムがビーム形成を採用して信号を伝送している場合に、前記ＡＣＣ情報中で検出したミッドアンブルに対応するＡＣＣを用いることによって、前記ネットワークシステムから前記ダウンリンク・タイムスロット中で受信した信号に対してＪＤアルゴリズムを実行して、前記ネットワークシステムからの情報を復調するステップと
を具えていることを特徴とする請求項１２に記載の方法。
【請求項１４】
さらに：
前記ネットワークシステムによって前記ＡＣＣ専用チャンネル上で転送される前記ＡＣＣ情報を、少なくとも無線フレーム毎に読み取るステップを具えていることを特徴とする請求項１３に記載の方法。
【請求項１５】
ＴＤＤ  ＣＤＭＡ通信ネットワークシステム用のダウンリンクＪＤを実現する方法において：
次の無線フレーム内の各タイムスロットのＡＣＣ情報を予測するステップと；
特定タイムスロット中の前記ＡＣＣ情報を、事前選択したコードチャンネルによって構成されるＡＣＣ専用チャンネル経由で送信するステップと
を具えていることを特徴とするダウンリンクＪＤの実現方法。
【請求項１６】
さらに：
伝送時間間隔（ＴＴＩ）中の２番目の無線フレーム及びこれに後続する無線フレームのヘッダにおいて、新たなＵＥがアクセスすることのみを許可するステップを具え、
前記事前選択したコードチャンネルは、前記特定タイムスロット中の２つのコードチャンネルであり、前記２つのコードチャンネルが使用する一対のチャンネル化コードに対応するミッドアンブルは、ＢＣＨが使用するミッドアンブルとは異なり、ＢＣＨが伝送ダイバーシティを採用している際には、基地局によって予約されたミッドアンブルとも異なる
ことを特徴とする請求項１５に記載の方法。
【請求項１７】
前記ＴＴＩが通信プロトコルにおいて許容される最短の時間間隔である場合に、次のＴＴＩの先頭において、前記ＵＥがアクセスすることのみを許可することを特徴とする請求項１６に記載の方法。
【請求項１８】
前記最短の時間間隔が１０ｍｓであることを特徴とする請求項１７に記載の方法。
【請求項１９】
さらに：
一次チャンネル化コードを、対応する二次チャンネル化コードと共にＵＥに割り当て、これにより、前記ＵＥは、検出した前記一次チャンネル化コードにより前記二次チャンネル化コードを得ることができるステップを具えていることを特徴とする請求項１６に記載の方法。
【請求項２０】
さらに：
前記次の無線フレーム内の前記特定タイムスロットにおいて用いる二次チャンネル化コードの情報を、ＦＰＡＣＨ情報の予約ビット中に埋め込み、これにより、前記ＵＥは、前記ＦＰＡＣＨ情報から前記二次チャンネル化コードの情報を得ることができるステップを具えていることを特徴とする請求項１６に記載の方法。
【請求項２１】
さらに：
特定ミッドアンブルをＦＰＡＣＨ用に指定するステップと；
前記指定の情報をシステム情報中に埋め込むステップと
を具えていることを特徴とする請求項１９または２０に記載の方法。
【請求項２２】
ネットワークシステムからのダウンリンク信号を特定タイムスロット中で受信する受信ユニットと；
前記ダウンリンク信号を処理して、前記特定タイムスロット中のアクティブな一次及び二次チャンネル化コードを取得する処理ユニットと；
前記一次及び二次チャンネル化コードを用いることによって、前記ダウンリンク信号に対してＪＤアルゴリズムを実行して、次の無線フレーム内でＪＤを実行するに当たり使用する初期ＡＣＣ情報を取得する実行ユニットと
を具えていることを特徴とするユーザ装置（ＵＥ）。
【請求項２３】
前記処理ユニットが：
前記ダウンリンク信号に対してチャンネル推定を実行して、前記特定タイムスロット中のアクティブな一次チャンネル化コードを取得する一次チャンネル化コード特定ユニットと；
チャンネル化コード割り当て規則において予め規定された前記一次チャンネル化コードと前記二次チャンネル化コードとの関係により、前記特定タイムスロット中のアクティブな一次チャンネル化コードを取得する二次チャンネル化コード特定ユニットと
を具えていることを特徴とする請求項２２に記載のユーザ装置。
【請求項２４】
前記処理ユニットが：
前記ダウンリンク信号に対してチャンネル推定を実行して、前記特定タイムスロット中のアクティブな一次チャンネル化コードを取得する一次チャンネル化コード特定ユニットと；
ＦＰＡＣＨ情報中の予約ビットによって構成される前記二次チャンネル化コードの指示情報により、前記特定タイムスロット中のアクティブな前記二次チャンネル化コードを特定する二次チャンネル化コード特定ユニットと
を具えていることを特徴とする請求項２２に記載のユーザ装置。
【請求項２５】
前記実行ユニットが、前記一次及び二次チャンネル化コードを利用することによって、前記ネットワークシステムによってＡＣＣ専用チャンネル上で伝送される前記ダウンリンク信号に対してＪＤアルゴリズムを実行して、前記初期ＡＣＣ情報を取得し、
前記ＡＣＣ専用チャンネルは、前記特定タイムスロット中の事前選択したコードチャンネルであることを特徴とする請求項２２に記載のユーザ装置。
【請求項２６】
前記事前選択したコードチャンネルが２つのコードチャンネルであり、前記２つのコードチャンネルが使用する一対のチャンネル化コードに対応するミッドアンブルは、ＢＣＨが使用するミッドアンブルとは異なり、ＢＣＨが伝送ダイバーシティを採用している際には、基地局によって予約されたミッドアンブルとも異なることを特徴とする請求項２５に記載のユーザ装置。
【請求項２７】
前記実行ユニットが、
前記初期ＡＣＣ情報を用いることによって、前記次の無線フレーム内の前記ＡＣＣ専用チャンネルに対してＪＤアルゴリズムを実行して、後続の無線フレーム用のＡＣＣ情報を取得し；
前記初期ＡＣＣ情報を用いることによって、前記次の無線フレーム内で前記ネットワークシステムから受信した信号に対してＪＤアルゴリズムを実行して、前記ネットワークシステムからの情報を復調する
ために用いられることを特徴とする請求項２６に記載のユーザ装置。
【請求項２８】
前記受信ユニットが、前記ネットワークシステムからシステム情報を受信し、前記ＵＥはさらに：
前記システム情報により、ＦＰＡＣＨチャンネルが存在するか否かを判定し；
前記システム情報中のミッドアンブル・シフトにより、前記ＦＰＡＣＨチャンネルがアクティブであるか否かを判定することを特徴とする請求項２７に記載のユーザ装置。
【請求項２９】
前記判定ユニットが、
前記システム情報により、前記ネットワークシステムが共通ミッドアンブルを採用して信号を伝送しているか否かを判定し；
チャンネル化コード数と前記ミッドアンブル・シフトと前記ＡＣＣ情報との関係により、前記ＦＰＡＣＨチャンネルがアクティブであるか否かを判定する
ことを特徴とする請求項２８に記載のユーザ装置。
【請求項３０】
前記判定ユニットが：
前記システム情報により、前記ネットワークシステムが共通ミッドアンブルを採用して信号を伝送しているか否かを判定し；
前記システム情報中で指定された特定ミッドアンブルと前記ＦＰＡＣＨチャンネルとの関係により、前記ＦＰＡＣＨチャンネルがアクティブであるか否かを判定する
ことを特徴とする請求項２８に記載のユーザ装置。
【請求項３１】
前記実行ユニットが、前記ＡＣＣ情報、及び前記ＦＰＡＣＨチャンネルのチャンネル化コードにより、前記ネットワークシステムからダウンリンク・タイムスロット中で受信した信号に対してＪＤアルゴリズムを実行して、前記ネットワークシステムからの情報を復調することを特徴とする請求項２８〜３０のいずれかに記載のユーザ装置。
【請求項３２】
前記判定ユニットが、前記システム情報により、前記ネットワークシステムがビーム形成を採用して信号を伝送しているか否かも判定し、
前記実行ユニットが、検出したミッドアンブルに対応するＡＣＣ情報及びアクティブなチャンネル化コードを用いることによって、前記ネットワークシステムから前記ダウンリンク・タイムスロット中で受信した信号に対してＪＤアルゴリズムを実行して、前記ネットワークシステムからの情報を復調する
ことを特徴とする請求項３１に記載のユーザ装置。
【請求項３３】
前記実行ユニットが、前記ネットワークシステムによって前記ＡＣＣ専用チャンネル経由で転送される前記ＡＣＣ情報を、少なくとも無線フレーム毎に読み取ることを特徴とする請求項３２に記載のユーザ装置。
【請求項３４】
次の無線フレーム内の各タイムスロットのＡＣＣ情報を予測する検出ユニットと；
特定タイムスロット中の前記ＡＣＣ情報を、事前選択したコードチャンネルによって構成されるＡＣＣ専用チャンネル経由で送信する送信ユニットと
を具えていることを特徴とするネットワークシステム。
【請求項３５】
さらに：
ＴＴＩ中の２番目の無線フレーム及びこれに後続する無線フレームのヘッダにおいて、新たなＵＥがアクセスすることのみを許可する割り当てユニットを具え；
前記事前選択したコードチャンネルは、前記特定タイムスロット中の２つのコードチャンネルであり、前記２つのコードチャンネルが使用する一対のチャンネル化コードに対応するミッドアンブルは、ＢＣＨが使用するミッドアンブルとは異なり、ＢＣＨが伝送ダイバーシティを採用している際には、基地局によって予約されたミッドアンブルとも異なる
ことを特徴とする請求項３４に記載のネットワークシステム。
【請求項３６】
前記ＴＴＩが通信プロトコルにおいて許容される最短の時間間隔である場合に、次のＴＴＩの先頭において、前記ＵＥがアクセスすることのみを許可することを特徴とする請求項３５に記載のネットワークシステム。
【請求項３７】
前記割り当てユニットが、一次チャンネル化コードを、対応する二次チャンネル化コードと共にＵＥに割り当て、これにより、前記ＵＥは、検出した前記一次チャンネル化コードにより前記二次チャンネル化コードを得ることができることを特徴とする請求項３６に記載のネットワークシステム。
【請求項３８】
さらに：
前記次の無線フレーム内の前記特定タイムスロットにおいて用いる二次チャンネル化コードの情報を、ＦＰＡＣＨ情報中の予約ビット中に埋め込む埋め込みユニットを具え、これにより、前記ＵＥは、前記ＦＰＡＣＨ情報から二次チャンネル化コードの情報を得ることができることを特徴とする請求項３７に記載のネットワークシステム。
【請求項３９】
さらに：
特定ミッドアンブルをＦＰＡＣＨチャンネル用に指定する指定ユニットと；
前記指定の情報をシステム情報中に埋め込む埋め込みユニットと
を具えていることを特徴とする請求項３７または３８に記載のネットワークシステム。
【発明の詳細な説明】
【技術分野】
【０００１】
（発明の分野）
本発明は一般に、ＴＤＤ  ＣＤＭＡシステムにおいて用いられる通信方法及び装置に関するものであり、特に、ＴＤ−ＳＣＤＭＡシステムにおけるダウンリンク接続検出を実現するための方法及び装置に関するものである。
【０００２】
（発明の背景技術）
ＴＤＤ  ＣＤＭＡ（Time Division Duplex-Code Division Multiple Access：時分割双方向−符号分割多重接続）ベースの無線通信システムでは、主に２つのセル内干渉が存在し：一方はＭＡＩ（Multiple Access Interference：多重接続干渉）であり、同一周波数帯域を異なるユーザが共用すること、及び異なるチャンネル化コード間の直交性の損失によって生じ、他方は同一ユーザの異なる径路間のＩＳＩ（Inter-Symbol Interference：シンボル（符号）間干渉）であり、マルチパス（多重路）伝搬によって生じる。
【０００３】
ＭＡＩ及びＩＳＩを効果的に軽減するために、従来のＴＤＤ  ＣＤＭＡシステムにはＪＤ（Joint Detection：接続検出）が導入されている。ＪＤは、チャンネル化コード、チャンネル・フェージング（強度変動）、信号遅延、及びユーザ信号についての他の情報を十分に利用し、これによりセル内の信号伝送品質を改善し、ＴＤＤ無線通信システムの容量を増加させる。さらに、ＪＤは種々のレート（例えば3.84Mチップ／秒、1.28Mチップ／秒、及び7.68Mチップ／秒）を有するＴＤＤシステムに適し、このため、現在のＴＤＤ  ＣＤＭＡシステムにおけるキー技術の１つになっている。
【０００４】
Datang社、フィリップス社、及びサムソン社により編成された合弁企業（ジョイントベンチャー）であるＴ３Ｇは、ＺＦ−ＢＬＥ（Zero Forcing Block Linear Equalizer：ゼロフォーシング・ブロック線形等化器）及びＭＭＳＥ−ＢＬＥ（Minimum Mean Square Error Block Linear Equalizer：最小平均二乗誤差ブロック線形等化器）のＪＤアルゴリズムを、最初の３Ｇ移動電話製品におけるＴＤ−ＳＣＤＭＡのハンドセット（受話器）設計の解に適用している。
【０００５】
しかし、ＺＦ−ＢＬＥ及びＭＭＳＥ−ＢＬＥアルゴリズムは、すべての動作中のＵＥ（User Equipment：ユーザ装置）のチャンネル化コードを事前条件として知る必要がある。しかし、ネットワークシステム（ＵＴＲＡＮ：Universal Terrestrial Radio Access Network：３ＧＧが規定する移動体通信網のノード）との間の従来のシグナリング（通信確立のための信号のやり取り）については、デスティネーション（送信先、宛先）ＵＥに関連する無線リソース（資源）割り当て情報は無線リンク構成メッセージ中のみで規定される。即ち、現在のシグナリング構造では、ＵＥは自分のチャンネル化コードしか知ることができず、同じタイムスロットを共用する他のＵＥが使用するＡＣＣ（Active Channelization Code：アクティブ（使用可能、有効）チャンネル化コード）の知識は持たない。従って、ＵＥ内でＪＤアルゴリズムを実現することは容易ではない。
【０００６】
ＵＥ内でＪＤアルゴリズムを用いるための１つの解決法は、追加的な「アクティブコード検出（ＡＣＤ：Active Code Detection）」モジュールをＴＤ−ＳＣＤＭＡハンドセットの受信機内に追加することであり、これにより、単一のＵＥ内でＡＣＣ情報を復元することができる。明らかに、この方法は、Ｌ１（物理層）において実現される盲目的な検出と似ており、この方法は、リソースの再割り当てにより物理チャンネルが変化する際の初期発呼設定手順中に、より上位の層のシグナリングの負担を大幅に低減し、ＡＣＣ情報を独立して取得することができる。しかし、このＡＣＤの解決法では、一部の無線応用環境において理想的な性能を達成できないことが、近年の研究によって示されている。例えば、ＡＣＤ法は次の２つの場合にシステム性能の劣化をもたらす：１番目は、遅延が大きく拡散し、このことが、使用するミッドアンブル（中文）コードの最大数Ｋをより小さく、例えばＫ＝８または４にする場合であり；２番目は、ＢＳ（Base Station：基地局）においてビーム形成または伝送ダイバーシティを適用せず、従って、同一セル内のすべてのＵＥに共通のミッドアンブルを割り当てる場合である。このことからわかるように、ＡＣＤ法の適用は非常に限定されている。
【０００７】
【特許文献１】欧州特許出願番号03075075.6
【０００８】
上述したＡＣＤ法の欠点を克服するために、ＢＳがＡＣＣ情報をＢＣＨ（Broadcast Channel：広報チャンネル）のような共通制御チャンネルを通してＵＥに送信する方法が提案され、Koninklijke Philips Electronics N.V.社によって2003年1月13日に出願された欧州特許出願番号03075075.6、発明の名称”Mobile station enabled for use of an advanced detection algorithm”に記載されている。この特許出願に開示された方法によれば、ミッドアンブルに関連するチャンネル化コードをミッドアンブル割り当て情報から得ることができる。しかし、このことはいわゆる「デフォルト（標準値、無指定時にとられる値）ミッドアンブル」の場合、即ち、ミッドアンブルとチャンネル化コードとの関係を知っている場合に限定される。３ＧＰＰ（3rd. Generation Partnership Project：第３世代携帯電話標準化プロジェクトグループ）ＴＤＤ規格には次の他の２つのミッドアンブル割り当て方式が存在する：(i) 共通ミッドアンブル、同じタイムスロットを共用するすべてのユーザが同じミッドアンブルを使用する；(ii) ＵＥ特有のミッドアンブル、より上位層のアプリケーションからのシグナリングによって、あるＵＥに特定ミッドアンブルを割り当てる。これら２つのミッドアンブルでは、チャンネル化コードとミッドアンブルとの間に固定の関係は存在しない。上記割り当て方式については、３ＧＰＰ技術仕様25.221の”Physical Channels and mapping of transport channels onto physical channels（ＴＤＤ）”（リリース４）、2001年5月を参照することができる。これら２つの場合には、ＵＥは上記特許出願に開示されている方法でＡＣＣ情報を取得することができない。
【０００９】
【特許文献２】中華人民共和国特許出願番号200310118644.2
【００１０】
上述した方法の制約に応えるために他の方法が提案され、この方法では、ＢＳがＡＣＣ情報を追加情報シンボルとしてデータフィールド内に埋め込んでＵＥに送信し、これについては、Koninklijke Philips Electronics N.V.社によって2003年11月27日に出願された中華人民共和国特許出願番号200310118644、発明の名称”Method and apparatus for supporting downlink JD in TDD CDMA communication system”に記載されている。この特許出願に開示されている方法は、上述した３つのミッドアンブル割り当て方式に適している。この方法では、ダウンリンク・タイムスロットが変化した際のみに、基地局が変化したＡＣＣ情報を、対応するタイムスロットのデータフィールド内に挿入し、そしてダウンリンク・タイムスロット中で各ＵＥに送信し、これにより、共通チャンネルのオーバーロード（過負荷）を回避し、他のタイムスロット中のＵＥを不要な演算及び電力消費から解放する。しかし、この方法に適応するためには現在のＴＤＤフレーム構造を変更しなければならず、さらに、ＡＣＣ情報はデータフィールドを占有し、これによるデータ伝送レートまたは通信品質の悪化は不可避である。
【００１１】
従って、ＴＤ−ＳＣＤＭＡシステムのダウンリンクにおけるＪＤの実現をサポートするより良い通信方法及び装置が必要とされる。
【００１２】
（発明の概要）
本発明の目的は、ＴＤＤ  ＣＤＭＡ通信システムにおいてダウンリンクＪＤを実現するための方法及び装置を提供することにあり、この方法によれば、取得したＡＣＣ情報を利用してＪＤアルゴリズムを実行し、これにより、デスティなーションＵＥに対するセル内干渉の影響を低減し、システム容量を拡大することができる。
【００１３】
本発明の他の目的は、ＴＤＤ  ＣＤＭＡ通信システムにおいてダウンリンクＪＤを実現するための方法及び装置を提供することにあり、この方法によれば、初期発呼設定手順中のＵＥもＡＣＣ情報を取得することができ、そして同じタイムスロット中で通信中の他のＵＥも正確なＡＣＣ情報を得ることができる。
【００１４】
本発明の第３の目的は、ＴＤＤ  ＣＤＭＡ通信システムにおいてダウンリンクＪＤを実現するための方法及び装置を提供することにあり、この方法によれば、同じタイムスロット中のＵＥが共通ミッドアンブルまたは特定ミッドアンブルを使用する際に、正確なＡＣＣ情報を取得することができる。
【００１５】
本発明の第４の目的は、ＴＤＤ  ＣＤＭＡ通信システムにおいてダウンリンクＪＤを実現するための方法及び装置を提供することにあり、この方法によれば、基地局においてダウンリンク・ビーム形成を提供する場合に、ＵＥは実際のＡＣＣ情報を取得することもできる。
【００１６】
本発明では、ＴＤＤ  ＣＤＭＡ通信システムにおいてＵＥがダウンリンクＪＤを実行する方法を提案し、この方法は、(a) ダウンリンク信号をネットワークシステムから特定タイムスロット中で受信するステップと；(b) 前記ダウンリンク信号を処理することによって、アクティブ（使用可能、有効）な一次及び二次チャンネル化コードを特定タイムスロット中で取得するステップと；(c) 前記一次及び二次チャンネル化コードを利用することによりＪＤアルゴリズムを実行して、次の無線フレーム内でＪＤを実行するために用いる初期ＡＣＣ情報を得るステップとを具えている。
【００１７】
上記ステップ(c)はさらに：前記一次及び二次チャンネル化コードを利用することによって、前記ネットワークシステムによってＡＣＣ専用チャンネル経由で送信される前記ダウンリンク信号に対してＪＤアルゴリズムを実行して前記初期ＡＣＣ情報を得るサブステップを具え；前記ＡＣＣ専用チャンネルは、特定タイムスロット中に２つのコードチャンネルを有し、これら２つのコードチャンネルが使用する一対のチャンネル化コードに対応するミッドアンブルは、ＢＣＨが使用するミッドアンブルと異なるだけでなく、ＢＳが伝送ダイバーシティを採用する際にＢＣＨ用に予約しておくミッドアンブルとも異なる。
【００１８】
上述した本発明の方法によれば、さらに：次の無線フレーム内の前記初期ＡＣＣ情報を利用することによって、前記ＡＣＣ専用チャンネルに対してＪＤアルゴリズムを実行して、後続する無線フレーム内で使用するためのＡＣＣ情報を取得するステップと；前記初期ＡＣＣ情報を利用することによって、前記ネットワークシステムから前記次の無線フレーム内で受信した信号に対してＪＤアルゴリズムを実行して、前記ネットワークシステムからの情報を復調するステップとを具えている。
【００１９】
本発明では、ネットワークシステムがＴＤＤ  ＣＤＭＡ通信においてダウンリンクＪＤを実行する方法が提案され、この方法は：次の無線フレーム内の各タイムスロットのＡＣＣ情報を予測するステップと；特定タイムスロット中の前記ＡＣＣ情報を、事前選択したコードチャンネルによって構成されるＡＣＣ専用チャンネル経由で送信するステップとを具え、前記事前選択したコードチャンネルは特定タイムスロット中の２つのコードチャンネルであり、これら２つのコードチャンネルが使用する一対のチャンネル化コードに対応するミッドアンブルは、ＢＣＨが使用するミッドアンブルと異なるだけでなく、ＢＳが伝送ダイバーシティを採用する際にＢＣＨ用に予約しておくミッドアンブルとも異なる。
【００２０】
本発明は、その他の目的及び効果と共に、以下の図面を参照した実施例の説明を参照すれば、一層明らかになり、十分に理解することができる。
【００２１】
以下、本発明の好適な実施例について図面を参照しながら詳細に説明する。各図面中で、同様の部分は同一参照番号で示す。
【００２２】
（実施例の詳細な説明）
本発明のＴＤＤ  ＣＤＭＡシステムのダウンリンクでは、特定タイムスロット中にＡＣＣ専用チャンネルを設定することによって、ネットワークシステムは予測したＡＣＣ情報を、次の無線フレーム内で、ＡＣＣ専用チャンネル経由でＵＥに直接送信することができる。ＵＥは、上記特定タイムスロット中のアクティブな一次及び二次チャンネル化コードを特定し、そして特定したアクティブな一次及び二次チャンネル化コードを利用して、上記ＡＣＣ専用チャンネルに対してＪＤアルゴリズムを実行して、これにより初期ＡＣＣ情報を得る。次の無線フレーム内では、上記初期ＡＣＣ情報を利用することによって、ＵＥは上記ＡＣＣ専用チャンネルに対してＪＤアルゴリズムを実行して、これにより、後続する無線フレーム内で使用するためのＡＣＣ情報を得る。そして、ネットワークシステムからの受信信号に対してＪＤアルゴリズムを実行して、ネットワークシステムからの情報を復調する。
【００２３】
以下の節では、ＴＤＤ−ＳＣＤＭＡシステムを例として、本発明が提案する、ＡＣＣ専用チャンネルを確立する方法、特定タイムスロット中のアクティブな一次及び二次チャンネル化コードを特定する方法、及び新たなＦＰＡＣＨ（Fast Physical Access Channel：高速物理アクセスチャンネル）がアクティブにされ、新たなネットワークシステムがビーム形成または共通ミッドアンブル割り当て方式を送信信号に適用する際の、正確なＡＣＣ情報を特定する方法を説明する。
【００２４】
（Ｉ  ＡＣＣ専用チャンネルの設定）
図１に、ＵＴＲＡＮとＵＥとの間の発呼設定手順中にＵＥが実行する動作を示し、この動作はＵＥのアイドル（待機）モードから始まる。アイドルモード中には、ＵＥはセル探索手順の一部または全体を実行し続け、このセル探索手順は：基地局とのダウンリンク同期を実現するステップと、スクランブルコード及びセルが使用する基本ミッドアンブルを識別するステップと、マルチ（多）フレーム同期を達成するステップとを具えている（ステップＳ１０１）。そして、ＵＥはＢＣＨ内のシステム情報、及びページング（呼び出し）識別チャンネル（ＰＩＣＨ：Paging Identification Channel）内の情報を読み取って、基地局がこのＵＥを今までに呼び出しているか否かを判定する（ステップＳ１０２）。基地局がこのＵＥにページングメッセージを送信している場合には、ＵＥは、ＰＩＣＨで示すページングチャンネル（ＰＣＨ：Paging Channel）内の情報を読み取る（ステップＳ１０３）。ＵＥが基地局に対して発呼要求を開始しているか、あるいはＰＣＨ内の情報を既に取得している場合には、ＵＥはアップリンク同期コードをアップリンク・パイロットチャンネル（ＵｐＰＣＨ：Uplink Pilot Channel）経由で基地局に送信して、アップリンク同期を確立する（ステップＳ１０４）。ＵｐＰＣＨで受信すると、基地局は即座にＡＣＫメッセージを、高速物理アクセスチャンネル（ＦＰＡＣＨ：Fast Physical Access Channel）経由で、後続する４つのサブフレーム内でＵＥに返送する。アップリンク同期コードを送出した後に、ＵＥは、次のサブフレームから始まるＦＰＡＣＨトラフィックバーストをＦＰＡＣＨ上で受信するまで待機する（ステップＳ１０５）。ＦＰＡＣＨ上のＡＣＫメッセージを受信した後に、ＵＥは、発呼設定要求が受理されたことを知り、そして接続要求メッセージを、物理ランダムアクセスチャンネル（ＰＲＡＣＨ：Physical Random Access Channel）上にマッピング（写像、対応付け）されたランダムアクセスチャンネル（ＲＡＣＨ：Random Access Channel）経由で基地局に送信し始める（ステップＳ１０６）。適正なＰＲＡＣＨ処理の後に、基地局は転送アクセスチャンネル（ＦＡＣＨ：Forward Access Channel）及び／またはダウンリンク同期チャンネル（ＤＳＣＨ：Downlink Synchronization Channel）通信を開始して、無線搬送体設定、再構成、等のような予備通信手順で使用するためのいくつかの強制構成メッセージをＵＥに送信する。これらの構成メッセージは、論理チャンネル内の専用制御チャンネル（ＤＣＣＨ：dedicated Control Channel）上で伝送され、この専用制御チャンネルは、ＵＴＲＡＮとＵＥとの間の通常のデータ通信を確立する前に、ＦＡＣＨまたはＤＳＣＨの搬送チャンネルのみにマッピングすることができる。これらのメッセージを受信した後に、ＵＥは、より上位層のコマンドに従い確認信号を返送し（あるいは、基地局の特定要求に従い何も返送せず）、その後に、データチャンネル（ＤＣＨ：Data channel）からの情報を読み取り（ステップＳ１０８）、これにより、ＵＴＲＡＮとの通常通信モードに入る（ステップＳ１０９）。
【００２５】
図１に示す発呼設定手順では、各搬送チャンネルが異なる物理チャンネル上にマッピングされ、一部の物理チャンネルは最終的に、多重化後に物理層のタイムスロット中にマッピングされる。
【００２６】
図２に、発呼設定手順中に関係する各ダウンリンク物理チャンネルの無線リソース割り当ての種々の場合を一括して示し：これらの場合は、各物理チャンネルのタイムスロット及びチャンネル化コード、チャンネルの反復周期、及びＵＴＲＡＮ側で予見されるチャンネルのアクティブ（使用可能、有効）時間を含む。図２には、各搬送チャンネルと関係する物理チャンネルとの間のマッピングも図２に示す。図２に示すように、例えば、転送アクセスチャンネル（ＦＡＣＨ）、制御情報をＵＥに転送するための搬送チャンネルが、二次共通制御物理チャンネル（Ｓ−ＣＣＰＣＨ：Secondary Common Control Physical Channel）上にマッピングされる。Ｓ−ＣＣＰＣＨのタイムスロット位置及び利用可能なチャンネル化コードは、ＢＣＨ上で、システム構成メッセージの関連部分中で、ＵＥに知らされる。デフォルトでは、ＢＳがＰＥＡＣＨで受信してからＦＡＣＨで送信するまでの反応時間は3000ms未満である。
【００２７】
通常通信手順中には、新たなユーザが発呼設定手順を開始すると、ＵＴＲＡＮは新たなＡＣＣ情報を、この新たなユーザと同じダウンリンク・タイムスロットに割り当てられたすべてのＵＥに知らせて、各ＵＥが、上記新たなＡＣＣ情報を利用することによってＪＤアルゴリズムを実行することができるようにすべきである。（ＢＣＨのような）既存の共通制御チャンネルを使用すれば、新たなＡＣＣ情報を容易に実現することができることは明らかである。しかし、図２に見られるように、ＢＣＨ、ＦＡＣＨ、ＰＣＨ、ＤＳＣＨ及びＰＩＣＨのすべてが、非常に長い反復周期を有し、例えば、ＢＣＨの最小反復周期は８無線フレーム分の持続時間であるので、ある複雑な環境下では、ＡＣＣ情報がこの更新レート（速度）で転送される場合には、チャンネル化コードの変化を適時に反映させることは非常に困難である。さらに、ＢＣＨ以外は、他のチャンネル毎の無線リソース割り当ては不規則である。ＡＣＣ情報についての更新レートを考えれば、上記に挙げたチャンネルはＡＣＣ情報を転送するのに適しておらず、従って、実際の用途では、ＡＣＣ情報を転送するためのＡＣＣ専用チャンネルを設定して、変化したＡＣＣ情報を適時に転送する要求を満足させる必要がある。
【００２８】
ＡＣＣ専用チャンネルの設定は主に、占有するタイムスロット、及びＡＣＣ専用チャンネルが使用するチャンネル化コードに関係する。
【００２９】
図３に、ＴＤ−ＳＣＤＭＡシステムにおけるサブフレーム及びタイムスロットの構造を示す。ＴＤ−ＳＣＤＭＡシステムでは、図３に示すように、無線フレームの長さは10msであり、無線フレームは２つの5msのサブフレームに分割される。すべてのサブフレームが４種類のタイムスロット、ダウンリンク・パイロット・タイムスロット（ＤｗＰＴＳ：Downlink Pilot Timeslot）、アップリンク・パイロット・タイムスロット（ＵｐＰＴＳ：Uplink Pilot Timeslot）、ガード期間（ＧＰ：Guard Period）、及び７つのトラフック・タイムスロットＴＳ０〜ＴＳ６を含む。ＴＳ０〜ＴＳ６のすべてのタイムスロットが２つのデータフィールドを含み（各データフィールドは３５２チップ）、これらの間にミッドアンブル（144チップ）が埋め込まれ、これらのデータフィールドはユーザデータまたは制御情報の搬送用であるのに対し、上記ミッドアンブルはチャンネル推定用である。
【００３０】
図３の７つのトラフィック・タイムスロットについては、ＴＳ０は常に、通信プロトコルの仕様に従ったダウンリンク情報搬送用であり、従って、ＡＣＣ情報はＴＳ０内で搬送すべく選定することができる。これに加えて、３ＧＰＰ規格の仕様によれば、ＴＳ０内のすべての物理チャンネルは、ミッドアンブル数Ｋ＝８なるデフォルトのミッドアンブル割り当て方式を必ず用い、即ち、ミッドアンブルとチャンネル化コードとの間には固定の関係が存在する。上記デフォルトのミッドアンブル割り当て方式は、実際には、さらに、ＴＳ０内にＡＣＣ専用チャンネルを設定する基礎を強化する。
【００３１】
図４に、拡散ゲイン（利得）が１、２、４、８及び１６である（即ち、ＳＦ（Spreading Factor：拡散係数）＝１，２，４，８，１６である）際の、ミッドアンブルｍ、及びこれに対応するチャンネル化コードｃの割り当てを示す。３ＧＰＰ通信プロトコルの仕様によれば、ダウンリンク用にはＳＦ＝１及びＳＦ＝１６なる割り当て方式しか存在せず、ＳＦ＝１は、セル内に単一ユーザが存在し、かつ2Mbpsの高速伝送が行われる（この時点ではＪＤが存在しない）際のみに存在するので、本発明ではＳＦ＝１６の場合のみを考える。Ｋ＝８かつＳＦ＝１６である際には、ミッドアンブルとチャンネル化コードとの関係は図の最右列に示すようになり、ここで上付き文字（‘＊）付きのチャンネル化コードは二次コードであり、他のものが一次コードである。チャンネル化コードを割り当てる際には、ネットワークシステムは常に一次コードをＵＥに優先的に割り当てる。
【００３２】
ＡＣＣ専用チャンネル用に割り当てるタイムスロットを決定した後には、さらに、ＴＳ０内の１６個のチャンネル化コードのうちＡＣＣ専用チャンネル用に利用可能なチャンネル化コードを、ＴＳ０の特性に応じて決定する必要がある。
【００３３】
図４に示すように、ミッドアンブルｍ(1)に対応する直交可変拡散係数（ＯＶＳＦ（Orthogonal Variable Spreading Factor）、または通常は直交拡散コードと称される）Ｃ16(1)及びＣ16(2)は、ＢＣＨ上でデータを転送するために用い、即ち、チャンネル化コードＣ16(1)及びＣ16(2)はＢＣＨの予約コードチャンネルであり、ＡＣＣ専用チャンネルが使用することはできない。ミッドアンブルｍ(2)に対応するチャンネル化コードＣ16(3)及びＣ16(4)も、ＡＣＣ情報に適用することはできない、というのは、基地局がブロック空間時間伝送ダイバーシティ（ブロックＳＴＴＤ：Block Space Time Transmit Diversity）技術を採用する際には、冗長なＢＣＨ情報を他のアンテナを通して送信してゲインをかせぐ必要がある、ということにより、ｍ(2)はシステムによって、他のアンテナ上で伝送されるミッドアンブルとして扱われるからである。チャンネル化コードＣ16(3)及びＣ16(4)を使用して（中断なしに伝送する必要のある）ＡＣＣ情報を転送すると同時に、基地局がＢＣＨ伝送ダイバーシティ技術を採用することになった場合には、ＵＥが受信信号に対するチャンネル推定を実行した後には、ＵＥは、検出したｍ(2)に従って基地局が伝送ダイバーシティを採用しているか否かを判定することができない。ＢＣＨは、伝送ダイバーシティを無視することによって復元することができるが、このことは、特定環境下ではＢＣＨの通常受信に悪影響を及ぼすことが避けられない。
【００３４】
上述したＴＳ０の特性からわかるように、Ｃ16(1)、Ｃ16(2)、Ｃ16(3)及びＣ16(4)以外のチャンネル化コード、即ち、Ｃ16(5)からＣ16(16)までのチャンネル化コードをＡＣＣ専用チャンネル用に用いることができる。
【００３５】
ＡＣＣ専用チャンネル用に利用可能なチャンネル化コードを決定する際には、ＡＣＣ情報を転送するために使用するチャンネル化コードの数も考えるべきであり、これに加えて、選定したチャンネル化コードは現在の通信規格との矛盾が生じなないものとすべきである。
【００３６】
通常通信中には、チャンネル化コードの数は、割り当てられたダウンリンク・タイムスロットの数に関係し、そして伝送時間間隔（ＴＴＩ：Transmit Time Interval）にも関係する。
【００３７】
以下の節では、図５を参照しながら、ＴＴＩが20msである際に２４４ビットの原データを転送する手順を、12.2kbpsのＵＥの音声データストリーム（流）を専用物理チャンネル（ＤＰＣＨ：Dedicated Physical Channel）上にマッピングする手順を例として説明する。
【００３８】
図５に示すように、まず、１６ビット及び８テールビットの巡回冗長検査符号（ＣＲＣ：Cyclic Redundancy Check Code）を、２４４ビットの原データブロックの終端に付加し；１／３チップレートの畳み込み符号化及び最初のインターリーブ（並べ替え）の後に、８０４（（２４４＋１６＋８）×３＝８０４）ビットの２つの無線フレームに分割し；次に、後続するレートマッチング（レート整合）、多重化処理、及び２度目のインターリーブの後に、図５に示すように、インターリーブされたビットストリームを、４つのサブフレーム内の４つのタイムスロットに平均的に割り当て、例えば、このビットストリームを各サブフレーム内のＴＳ４中に平均的に割り当てる。
【００３９】
図５に示す処理手順中には、最初のインターリーブは非常に重要である。最初のインターリーブの後に、８０４ビットのデータは２つの無線フレーム内にマッピングされ、このことは、２４４ビットの原データを、逆インターリーブ（インターリーブを元に戻す）及び通常の復号化によって復元するためには、ＵＥは、連続する４つのサブフレーム内の４つのＴＳ４中のデータを受信しなければならないことを示す。ここでは、最初のインターリーブ周期（即ち20ms）をＴＴＩと称する。現在の３ＧＰＰ  ＴＤＤ規格では、ＴＴＩについては全部で４種類の規定が存在し：それぞれ10ms, 20ms, 40ms及び80msである。
【００４０】
最端のＴＴＩは10msであるので、無線ソース・コントローラ（ＲＲＣ：Radio Resource Controller）が、異なるＵＥに関連する物理チャンネルにＴＴＩを割り当てる際には、これらのＴＴＩの開始点は奇数のサブフレーム番号から始まり、例えば図５に示すサブフレーム＃１及び＃３から始まり、そしてＡＣＣ情報は少なくとも１無線フレーム（10ms）内では変化しない。例えば、図５におけるサブフレームの番号付けについては、１つ以上の新たなＵＥが発呼を開始し、現在のＴＴＩの通常の通信手順における現在のタイムスロット中に入りたい場合には、上記規則によれば、10ms、20ms、あるいはより長時間のＴＴＩがこの新たなＵＥに割り当てられるかにかかわらず、この新たなＵＥは、現在のＴＴＩ中のサブフレーム＃３、または次のＴＴＩ中のサブフレーム＃１のいずれかからしか開始することができない。上記新たなＵＥが現在のＴＴＩ中のサブフレーム＃３から開始するものと仮定すれば、10msのサブフレーム＃１及び＃２の期間中には、この期間中に前のＵＥがダウンリンク信号を受信した際に、チャンネル化コード情報の変化は存在しない。このことは、システムのＡＣＣ情報が少なくとも１無線フレーム（10ms）内では変化しないままであることを意味する。
【００４１】
ＡＣＣ情報が１フレーム（10ms）内で変化しないままであるという上記規則に基づき、最小のＴＴＩが10msである場合には、サブフレーム内には最大６つのダウンリンク・タイムスロットが存在し、そしてタイムスロット中には最大１６個のチャンネル化コードが存在し、従って、ＡＣＣ情報の最大伝送レートは6×16／10ms＝9.6bpsである。通信プロトコルにおいて指定されているように、9.6kbpsの情報を1.28MbpsのＴＤ−ＤＣＤＭＡシステムにおいて転送するためには２つのコードチャンネルが必要であり、このことは、ＡＣＣ情報の伝送負荷はかなり重く、現在の共通制御チャンネル単独では、これほど大量に追加される情報を搬送することはできないことを示す。
【００４２】
以上で分析したように、ＡＣＣ専用チャンネルは、ＴＳ０中のミッドアンブルに対応するチャンネル化コードのうち、Ｃ16(1)、Ｃ16(2)、Ｃ16(3)及びＣ16(4)以外の任意の対を使用すべきである。
【００４３】
以下では、ＡＣＣ専用チャンネル内のＡＣＣ情報を読み取る手順を、コードチャンネル５及び６をＡＣＣ専用チャンネルとする例について６を参照しながら説明し、図６は、ＴＤ−ＳＣＤＭＡシステムにおけるチャンネル化コードの割り当てを示す。
【００４４】
（II  ＡＣＣ専用チャンネルを通して転送されたＡＣＣ情報の読取り）
ＴＤＤ規格の仕様によれば、ダウンリンク・タイムスロットの総伝送パワーは限定され、ＢＣＨ情報がセル全体に伝送可能であることを保証するためには、ＢＣＨの伝送パワーは常に、（ＡＣＣ専用チャンネルを含む）他の物理チャンネルの伝送パワーより高く、従って、ＴＳ０中のＡＣＣ専用チャンネルは、従来のレーク受信機の代わりにＪＤアルゴリズムによって処理しなければならない。しかし、ＡＣＣ専用チャンネルを処理するためにＪＤを使用することは、ＴＳ０中のアクティブなチャンネル化コードの情報を前以て知る必要があり、そして、ＡＣＣ情報チャンネル内に埋め込まれたＡＣＣ情報は現在の10msのフレームが利用できないことは明らかであり、即ち、現在のフレーム内で知らされるＡＣＣ情報は次のフレームしか利用することはできない。
【００４５】
ＵＴＲＡＮが次のフレーム内のＡＣＣの変化を予見して、変化したＡＣＣ情報を現在フレームのＡＣＣ専用チャンネル内に埋め込むことができるか否かについては、図２を参照して説明することができる。図２から容易にわかるように、物理層における動作に関係し、より上位層で処理する必要がないこととして、４サブフレーム未満の時間内に応答を行うためにＦＰＡＣＨが必要であること以外は、ＵＴＲＡＮは、他のダウンリンク物理チャンネルの無線リソース割り当て情報（例えばタイムスロット位置及びチャンネル化コード）を制御し予見することができる。従って、ＵＴＲＡＮは、次のフレームの予測ＡＣＣ情報を、現在フレーム内のＡＣＣ専用チャンネル経由で各ＵＥに送信し、これにより、これらのＵＥは次のフレーム内でＪＤを実行することができる。
【００４６】
しかし、まだ問題が存在し：即ち、ＵＥが初期発呼設定手順中にＴＳ０の初期ＡＣＣ情報を取得して、次のフレーム内のＡＣＣ専用チャンネル及び他の物理チャンネルを、上記初期ＡＣＣ情報を用いることによって復調することができる方法である。本発明では２つの解決法を提案する。
【００４７】
初期発呼設定手順中には、ＴＳ０中のＡＣＣ専用チャンネルに対してＪＤアルゴリズムを実行するためには、ＴＳ０中のすべてのＡＣＣを知らなければならない。ＴＳ０はＫ＝８なるデフォルトのミッドアンブル割り当て方式を採用しているので、ＴＳ０中の８つの一次チャンネル化コードがアクティブにされているか否かを、チャンネル推定によって得たアクティブ・ミッドアンブル、及びミッドアンブルとチャンネル化コードとの関係により知ることができる。チャンネル推定のみでは、８つの二次チャンネル化コードがアクティブにされているか否かを判定することは非常に困難である。本発明では上記のように２つの解決法を提案し、二次チャンネル化コードがアクティブにされているか否かに焦点を置いている。
【００４８】
（１．ＴＳ０において採用する固定無線リソース割り当て方式）
ＴＤＤ仕様によれば、ＴＳ０中のミッドアンブルをＫ＝８なるデフォルト・ミッドアンブルとして指定し、１つのミッドアンブルは２つのチャンネル化コードに対応する。図４に示すように、例えば、ｍ(3)はチャンネル化コードＣ16(5)(*)及びＣ16(6)に対応する。
【００４９】
ＴＳ０が固定のチャンネル化コード割り当て規則を用いなければならないように通信プロトコルを変更した場合には、即ち、１つのミッドアンブルに関連する２つのチャンネル化コードを１つのＵＥに割り当てなければならず、同時に、一次コードのみをＵＥに割り当てることが禁止されている場合には、ＴＳ０のすべての一次及び二次チャンネル化コードは、チャンネル推定によって検出したミッドアンブル、及びミッドアンブルとチャンネル化コードとの関係により、容易に識別することができる。従って、次のフレームのＡＣＣ情報は、アクティブな一次及び二次チャンネル化コードを用いて、ＴＳ０中のＡＣＣ専用チャンネルに対してＪＤを実行することによって取得することができる。
【００５０】
そして、次のフレーム内では、ＵＥは、前のフレーム内で取得したＡＣＣ情報を用いることによって、各物理チャンネルに対してＪＤを実行して、ＵＴＲＡＮによって送信された信号を復調することができ、そして、ＡＣＣ専用チャンネルに対してＪＤを実行して、後続フレームがＪＤアルゴリズムを実行するための、後続フレームのＡＣＣ情報を取得することができる。各物理チャンネルが採用する復調方法、及びＪＤを実行するために使用するＡＣＣ情報の情報源については、以下に図７を参照して説明する。
【００５１】
図７に示すように、（初期化手順を完了した後の）ＡＣＣチャンネル、ＰＩＣＨ及びＳ−ＣＣＰＣＨのような物理チャンネルは、上述したように取得したＡＣＣ情報を用いてＪＤアルゴリズムを実行することによって、転送された情報を読み取ることができる。
【００５２】
この解決法により初期ＡＣＣ情報を取得する場合の、ＵＥの発呼設定手順を図８に示す。ステップＳ２０３においてＰＣＨを、ステップＳ２０５においてＦＰＡＣＨを、ステップＳ２０７においてＦＡＣＨ／ＤＳＣＨを、そしてステップＳ２０８においてＤＣＨを復調するために、ＵＥは、ＡＣＣ専用チャンネル上で搬送された前のフレームのＡＣＣ情報を用いることによって、これらのチャンネルに対してＪＤを実行する必要がある。
【００５３】
もちろん、この解決法の実現は、12.2kbpsのフルレートの音声トラフィックのみが許容されるか、あるいは32kbps、64kbps、等のような他のデータトラフィックが許容されるかといった必須仕様に依存し、これらの各々が偶数のコードチャンネルのみを使用する
【００５４】
（２．ＦＰＡＣＨにおける予約ビットを用いることによる二次チャンネル化コードの情報転送）
以上の説明を参照すれば、ＴＳ０はＫ＝８なるデフォルトのミッドアンブル割り当て方式を使用し、そしてＢＣＨ及びＡＣＣ専用チャンネルは全部で４つのコードチャンネルを占め、これらのチャンネルはそれぞれ、２つのミッドアンブルｍ(1)及びｍ(3)に対応する。図４に示すように、ＢＣＨ及びＡＣＣチャンネル用に予約された２つのミッドアンブルとは別に、ＴＳ０にはさらに６つのミッドアンブル、即ちｍ(2)、ｍ(4)〜ｍ(8)が残っている。ここでは、伝送ダイバーシティを適用しない際には、ｍ(2)のみは他のチャンネルが使用することができ、そしてこれら６つのミッドアンブルに対応するチャンネル化コードはそれぞれ、Ｃ16(3)(*)及びＣ16(4)、Ｃ16(7)(*)及びＣ16(8)からＣ16(15)(*)及びＣ16(16)までである。
【００５５】
（上付き文字*のない）一次チャンネル化コードは、チャンネル推定から検出したミッドアンブルによって特定することができるので、チャンネル化コードの不確定性は、残りの二次チャンネル化コード、即ち、Ｃ16(3)(*)，Ｃ16(7)(*)，Ｃ16(9)(*)，Ｃ16(11)(*)，Ｃ16(13)(*)，及びＣ16(15)(*)のみに由来する。ＴＳ０中のこれらの未定の二次コードがユーザによって使用されるか否かを示す６ビットのビットマップを１つ、識別したミッドアンブルによって決まる一次コード情報と組み合わせて持つことができたとすれば、ＴＳ０中のすべてのＡＣＣを特定することができる。
【００５６】
実際には、ＦＰＡＣＨ情報中には９つの予約ビットが存在することがあり、各ビットにより、ＦＰＡＣＨが存在するフレームの次の10msフレーム内のＴＳ０中で用いる二次コードの６ビットのビットマップｂ1ｂ2ｂ3ｂ4ｂ5ｂ6を構成することができ、このビットマップの各ビットは、関連する二次コードがアクティブであるか否かを示す。例えば、伝送ダイバーシティをＢＣＨに適用せず、ミッドアンブルｍ(2)が識別される際には、このビットマップ中のｂ1をチェックする。ｂ1＝１であれば、このことはＣ16(3)(*)がアクティブであることを意味し、ｂ1＝０であればアクティブでないことを意味する。他の指示ビットの意味及び使用法は、この単純な例と同様である。
【００５７】
なお、特記すべき２つのポイントが存在する：第１には、ＵＥにおいてＴＳ０中の併合ミッドアンブルが検出された際のみに、対応するビットを読み取るべきであり；第２には、ＦＰＡＣＨは純粋な物理層反応であるので、ＦＰＡＣＨが二次コードの６ビットのビットマップを作成して次の10msフレーム内のＡＣＣチャンネルの検出を促進するためには、ＵＴＲＡＮの物理層は、ＦＰＡＣＨが存在する現在の10msフレームのＡＣＣ情報を保持しなければならない。
【００５８】
ＦＰＡＣＨによって搬送される二次チャンネル化コードのマッピング情報、及び識別したミッドアンブルによって決まる一次チャンネル化コード情報を用いることによって、ＦＰＡＣＨが存在するフレームの次の10msフレーム内のＴＳ０が使用するすべての一次及び二次チャンネル化コードを特定することができる。従って、アクティブな一次及び二次チャンネル化コードを利用することによって、ＴＳ０中のＡＣＣ専用チャンネルに対してＪＤを実行して、次のフレームについてのＡＣＣ情報を取得することができる。
【００５９】
そして、次のフレーム内では、ＵＥは、前のフレーム内で取得したＡＣＣ情報を用いることによって、各物理チャンネルに対してＪＤを実行し、そしてＡＣＣ専用チャンネルに対してＪＤを実行して、後続フレームがＪＤアルゴリズムを実行するための、後続フレームのＡＣＣ情報を取得することができる。各物理チャンネルが採用する変調方法、及びＪＤを実現するために利用するＡＣＣ情報の情報源については、以下に図９を参照して説明する。
【００６０】
図９に示すように、ＢＣＨ、ＰＣＨのような搬送チャンネル、及びＰＩＣＨのような物理チャンネルは、これらのチャンネル上で転送された情報を、レーク受信機を用いて復調する必要がある。ＦＰＡＣＨ情報中で搬送される二次チャンネル化コードを読み取った上で初めて、ＡＣＣ専用チャンネル内のＡＣＣ情報をＪＤ法で読み取ることができ、そしてＡＣＣチャンネル及びＳ−ＣＣＰＣＨ物理チャンネルに対してＪＤアルゴリズムを実行して、ＡＣＣ情報を用いることによって、これらのチャンネル上で転送される情報を読み取ることができる。
【００６１】
第２の解決法を採用して初期ＡＣＣ情報を取得する場合の、ＵＥの発呼設定手順を図１０に示す。第１の解決法とは異なり、ＵＥがＦＰＡＣＨ情報を得る前には、ＡＣＣ情報は未知である。従って、ＦＰＡＣＨの前にアクティブにされたすべてのチャンネルが、レーク受信機を用いて復調を行う必要があり、そしてＰＣＨもＢＣＨと同じ位高い伝送パワーで伝送する必要がある。ＦＰＡＣＨ情報を受信した後には、ＵＥはＦＰＡＣＨ内で搬送されるビットマップ情報を、識別したミッドアンブルと組み合わせて用いて、次のフレーム内でＡＣＣ専用チャンネルに対してＪＤを実行して（ステップＳ３０５）、次のフレームのＡＣＣ情報を取得することができる。従って、次のフレーム内では、ＡＣＣ情報を利用してＦＡＣＨ／ＤＳＣＨに対してＪＤを実行し（ステップＳ３０７）、ＤＣＨに対してＪＤを実行して（ステップＳ３０８）、対応するチャンネル内の情報を得ることができる。
【００６２】
（III  ＡＣＣ情報を用いることによるＪＤアルゴリズムの実行）
図２を参照して上述したＡＣＣ専用チャンネルについての説明と同様に、ＦＰＡＣＨは特別な応答チャンネルであり、ＵｐＰＣＨ内のアクセス要求に応答するのみであり、搬送チャンネルの情報は搬送しない。ＦＰＡＣＨが使用するチャンネル・パラメータ（例えばタイムスロット、チャンネル化コード、ミッドアンブル・シフト（ミッドアンブルの位置移動）、等）はシステム情報中に埋め込まれてＵＥに知らされる。ＦＰＡＣＨの持続時間は5ms以内に制限され、即ち、無線サブフレーム内で１つのＦＰＡＣＨトラフィック・バーストのみを占める。
【００６３】
基地局はアクセス要求に対する速い応答を４サブフレーム分未満の時間で行う必要があるので、ＦＰＡＣＨは完全にＵＴＲＡＮの物理層動作に関係し、より上位層は、ＦＰＡＣＨが送信されているか否かを前以て知ることができない。従って、ＦＰＡＣＨについてのアクティブなチャンネル化コード情報は、次のフレームのチャンネル化コード情報の変化を知らせるためのＡＣＣ情報に含まれることは少なく、現在フレームのＡＣＣ専用チャンネル上で転送され、即ち、アクティブなＦＰＡＣＨチャンネル化コードは、ＡＣＣ専用チャンネル上で搬送される情報には含まれない。
【００６４】
ダウンリンク・タイムスロットで通信するＵＥについては、ＦＰＡＣＨのタイムスロット、チャンネル化コード、ミッドアンブル・シフト、等を、ＢＣＨ上で知らされるシステム情報から前以て知ることができ、これらは現在サブフレーム内に存在することが多い。すべてのサブフレーム内で、ＦＰＡＣＨは１タイムスロットのみを占め、タイムスロット中では、ＦＰＡＣＨは１つのチャンネル化コードのみを使用し、通常は、サブフレーム内には１つのＦＰＡＣＨのみが存在し、従って、タイムスロットがデフォルト・ミッドアンブルまたは特定ミッドアンブルを採用している場合には、ＵＥは、タイムスロット中で知らされたＦＰＡＣＨがアクティブであるか否かを、チャンネル推定器によって検出したミッドアンブル・シフトによって識別することができる。
【００６５】
上述したように、ＢＣＨ上で知らされるシステム情報により、ＵＥは、ＵＴＲＡＮによってＦＰＡＣＨ用に予約されたタイムスロット、チャンネル化コード、ミッドアンブル・シフト、等についての情報を前以て知っており、従って、デスティネーションＵＥは、ＡＣＣコードの検出結果、及び前のフレーム内の、ＦＰＡＣＨが含まれることが多い対応するダウンリンク・タイムスロット中のＡＣＣ専用チャンネル上で転送されたＡＣＣ情報に含まれるＦＰＡＣＨチャンネル化コードを用いることによって、各物理チャンネルに対してＪＤを実行して、ＵＴＲＡＮから送信されるダウンリンク情報を得ることができる。ＦＰＡＣＨを含まないダウンリンク・タイムスロットについては、前のフレーム内のＡＣＣ専用チャンネル上で転送されたＡＣＣ情報に含まれるＡＣＣコードを用いることによって、各物理チャンネルに対してＪＤを実行する。
【００６６】
（IV  ＡＣＣ情報の正確な取得に影響する要因）
上述したように、通信手順中には、ＪＤを実現するに当たり使用するＡＣＣ情報は２つの部分：即ち、ＡＣＣ専用チャンネルからのＡＣＣ情報、及びＦＰＡＣＨチャンネル化コードを含み、従って、ＡＣＣ情報の正確な取得に影響する要因は、これら２つの側面にも関係する。
【００６７】
ＡＣＣ専用チャンネルのＡＣＣ情報に対する影響は主に、基地局がダウンビーム形成を伴う信号を送信する場合に発生し、そしてアクティブなＦＰＡＣＨチャンネル化コードの識別に対する影響は主に、セル内で共通ミッドアンブル割り当て方式を用いる場合に関係する。以下に、上記２つの側面について説明する。
【００６８】
（１．共通ミッドアンブル割り当て方式をセル内で用いる際のＡＣＣ情報の取得）
通常、ネットワークシステムは、基地局がセルの全方向をカバーするために単一アンテナを使用する際のみに共通ミッドアンブル割り当て方式を採用する。
【００６９】
ここでも、Ｋ＝８なるデフォルト・ミッドアンブルを、ＴＳ０用に指定し（この指定は単一アンテナ伝送に対する影響がない）、セル内の共通ミッドアンブルは、ＴＳ０以外の他のタイムスロットに適用され、従って、共通ミッドアンブル割り当て方式の利用は、ＴＳ０中のＡＣＣ専用チャンネルのＡＣＣ情報の取得には影響を生じさせない。
【００７０】
しかし、ＴＳ０以外の同じタイムスロット中の他の物理チャンネル、例えばＦＰＡＣＨ、ＤＰＣＨ、及びＦＡＣＨ、等は同じミッドアンブルを使用し、この時点では、「デフォルト・ミッドアンブル」におけるように、ミッドアンブルとチャンネル化コードとの間には何の関係も存在しない。これらの物理チャンネルでは、ＤＰＣＨ用のＡＣＣ情報は、ＴＳ０中のＡＣＣ専用チャンネルによって取得することができる。しかし、正確なＡＣＣ情報を用いることによってＪＤアルゴリズムを実行するに当たり解決すべき問題は、ＡＣＣ専用チャンネル上で搬送されるＡＣＣ情報には含まれず、ミッドアンブルを検出することによって取得する必要のあるＦＰＡＣＨチャンネル化コードを得る方法である。本発明では２つの方法を提案し、これらの方法について以下に説明する。
【００７１】
(1) プロトコル中のダウンリンク・チャンネル化コード数についての既存の仕様の利用
図１１に、セル内で許可された最大８つのミッドアンブルが存在する際のシグナリング・マッピング方式を示す。例えば、タイムスロットがｍ(1)を共通ミッドアンブルとして選定する場合には、このことは、タイムスロット中に１つまたは９つのチャンネル化コードが存在することを意味するが、このシグナリングではチャンネル化コード数のみを示し、それ以上の符号化（コーディング）情報は示していない。ＴＤＤ規格より、共通ミッドアンブルの割り当ては物理層の操作であることを知ることができ、このことは、ＦＰＡＣＨがタイムスロット中でアクティブである場合には、ＵＴＲＡＮの物理層が、共通ミッドアンブルのシフトを変化させることによって、タイムスロット中の実際のチャンネル化コード数についてＵＥに信号通知することができることを意味する。
【００７２】
例えば、ＵＴＲＡＮのＲＲＣ層が、タイムスロット中にアクティブなチャンネル化コードが８つ存在することを見出した場合には、このＲＲＣ層は、これらのチャンネル化コードの情報を、ＴＳ０中のＡＣＣ専用チャンネル内で送信すべき対応するビットマップに符号化する。ＵＴＲＡＮの物理層がタイムスロットの情報を送信する準備中である際に、タイムスロット中にアクティブなＦＰＡＣＨがないことが判明した場合には、チャンネル化コード数に従い、ｍ(8)をタイムスロットの共通ミッドアンブルとして選択する。しかし、ＵＴＲＡＮがＵＥの発呼要求に応答しており、ＦＰＡＣＨを送信しようとしている（即ち、ＦＰＡＣＨが既にアクティブにされている）場合には、このタイムスロット中のチャンネル化コード数は８から９に変化する。そしてこの時点で、図１１に示すように、物理層はｍ(8)を、９つのチャンネル化コードに対応し、かつタイムスロットの共通ミッドアンブルとして作用するｍ(1)で置き換える。
【００７３】
アクティブなＦＰＡＣＨが存在する上記の場合を仮定すれば、ＵＥが、ＢＣＨ上で知らされるシステム情報により、ネットワークシステムが共通ミッドアンブルを採用していることを知り、そして共通ミッドアンブルを利用して送信された信号を受信すると、ＵＥは、タイムスロットのミッドアンブルｍ(1)をチャンネル推定器で検出した後に、図１１に示すように、ｍ(1)によって表わされるチャンネル化コード数を参照して、このタイムスロット中の１つまたは９つのアクティブなチャンネル化コードを特定することができる。しかし、ＡＣＣ専用チャンネルによって得られるＡＣＣ情報からは、８つのチャンネル化コードしか取得することができず、従って、ＢＣＨ上で信号通知されたタイムスロット中のＦＰＡＣＨチャンネル化コードは、上記タイムスロット中でアクティブにされていることがわかる。
【００７４】
(2) ＦＰＡＣＨ用のミッドアンブルの指定
この方法は特定ミッドアンブル、例えばｍ(7)を、ＢＣＨ上のシグナリングによって発呼要求中のＵＥ用に指定するものである。即ち、ｍ(7)はＦＰＡＣＨ専用である。
【００７５】
ＵＥが、ＢＣＨ上で知らされるシステム情報により、ネットワークシステムが共通ミッドアンブルを採用し、そして既にミッドアンブルｍ(7)をＦＰＡＣＨ用に指定していることを知ると、ＵＥは、信号を受信した後に、チャンネル推定によってミッドアンブルｍ(7)を検出して、ＢＣＨ上で知らされたＦＰＡＣＨチャンネル化コードがタイムスロット中でアクティブにされていることを特定することができる。
【００７６】
明らかに、ｍ(7)のような特定ミッドアンブルの使用は、１つのタイムスロット中に７つまたは１５個のコードが存在することを不可能にし、即ち、ＴＳ（タイムスロット）中のアクティブなチャンネル化コード数が７または１５であることは禁止される。
【００７７】
（２．ダウンリンク・ビーム形成の場合における実際のアクティブＡＣＣの決定）
ビーム形成は、ＴＤ−ＳＣＤＭＡのキー技術の１つである。ダウンリンク・ビーム形成を適用する際には、通信プロトコルは、セル内で共通ミッドアンブル割り当て方式を適用することを禁止し、デフォルト・ミッドアンブル及び特定ミッドアンブルの割り当てという２つの方式のみを許容する。
【００７８】
ビーム形成の場合には、所望のＵＥに焦点合わせされたビームは、全方向ビームに比べれば、他のＵＥによって生じる妨害の一部を相殺する。例えば、基地局では、混合伝送信号を、いくつかのＵＥの８つのコードチャンネルによって構成する場合には、デスティネーションＵＥにおいて有効に受信された信号は元のコードチャンネルを６つしか持たず、他の２つのコードチャンネルは、ビーム形成の妨害抑制によって無視されることがある（ビーム形成の結果は、デスティネーション・ユーザ及び他のユーザによって構成される方向角、及び基地局のアンテナに依存し、即ち、基地局のスマートアンテナのカバー範囲に依存する）。しかし、この時点では、ここでもＡＣＣ専用チャンネルからのＡＣＣ情報に含まれる元の８つのチャンネル化コードによってＪＤを実行する場合には、ＪＤの実行は大きく悪影響される。
【００７９】
この状況では、本発明は、ダウンリンク・ビーム形成の場合に、取得したＡＣＣ情報を検出したミッドアンブルと組み合わせて、実際の残りのチャンネル化コードを識別することを提案する。ここでも、以上で説明した８つのコードチャンネルの場合を例に挙げて説明する。ＵＥが、信号の受信時にまず、チャンネル推定器を有するミッドアンブルを検出する際に、ミッドアンブル数はＫ＝８であり、４つのＵＥがそれぞれミッドアンブルｍ(1)〜ｍ(4)を有し、そしてこれらのミッドアンブルが８つのチャンネル化コードに対応するものと仮定する。ｍ(1)、ｍ(3)及びｍ(4)のみがチャンネル推定によって識別され、ミッドアンブルｍ(2)は検出されず（ｍ(2)はビーム形成によって消去され）、ＵＥは、タイムスロット中に全部で８つのチャンネル化コード（Ｃ16(1)〜Ｃ16(8)）が存在することをＡＣＣチャンネル情報から知っており、かつＵＥは、基地局がビーム形成を用いて信号を伝送することを、ＢＣＨ上で知らされるシステム情報により知っている場合には、ＵＥは、デフォルト・ミッドアンブルにおけるミッドアンブルとチャンネル化コードとの間のマッピングにより、検出した３つのミッドアンブルｍ(1)、ｍ(3)及びｍ(4)に対応するチャンネル化コードと、ＡＣＣ情報中の８つのチャンネル化コードとを比較して、チャンネル化コードのリストからＣ16(3)及びＣ16(4)を消去すべきか否かを決定する。従って、ＵＥは６つのアクティブなチャンネル化コードを利用してＪＤを実現すべきである。
【００８０】
（Ｖ  ＡＣＣ情報を処理し伝送するより上位層のシグナリング手順）
以上の節では、本発明が提案する、ＴＳ０中のＡＣＣ専用チャンネルを利用することによってＡＣＣ情報を転送する方法、ＵＥの発呼設定手順中に初期ＡＣＣ情報を取得する方法、及びセル内で共通ミッドアンブル及びビーム形成を使用する際に、正確なチャンネル化コード情報を取得する方法を説明してきた。以下では、上述した本発明におけるＪＤを実現するためのシグナリング転送手順について、図１２を参照しながら、より詳細に説明する。
【００８１】
図１２に示すように、まず、ＳＲＮＣ内のＲＲＣが、ネットワークからのデータ・トラフィック、及びセルからのデータ・トラフィックをチェックし、これらのトラフィックはセル内のＵＥに送信され（ステップＳ８０１）；そして、ＳＲＮＣ内のＲＲＣはこれらのトラフィックにチャンネル化コードを割り当てる。このプロセス中には、ＳＲＮＣは次のフレーム（10ms）内のチャンネル化コードの変化を容易に予見し、変化したチャンネル化コードのＡＣＣ情報を関連するビットマップ（例えば６×１６ビットのビットマップを含む）中に埋め込むことができ、これにより、上記ＡＣＣ情報でＡＣＣ専用チャンネルを構成することができる（ステップＳ８０２）。次に、ＵＴＲＡＮのＬ１（即ち、ノードＢの物理層）は、２つのコードチャンネルＣ16(5)及びＣ16(6)を用いることによって、上記ＡＣＣ情報を、固定タイムスロットＴＳ０中のＡＣＣ専用チャンネル経由で送信する（ステップＳ８０３）。なお、ＵＴＲＡＮは、ＵＥがＡＣＣ情報を受信したいか否かにかかわらず、ＡＣＣ情報を常に全方向に知らせる。
【００８２】
ＵＥのＬ１が、発呼設定手順中に、ＡＣＣ専用チャンネル経由で搬送される情報を受信する場合には、上述した一次及び二次チャンネル化コードを用いることによって、ＡＣＣ専用チャンネルに対してＪＤを実行して、次のフレームについての初期ＡＣＣ情報を取得し、この初期ＡＣＣ情報はＵＥのＲＲＣ層に送信される。通信手順中にこのことが発生した場合には、前のフレームからＡＣＣ専用チャンネル経由で読み取ったＡＣＣ情報を用いることによって、現在フレーム内のＡＣＣ専用チャンネルに対してＪＤを実行して、次のフレームのＡＣＣ情報を取得し、このＡＣＣ情報はＵＥのＲＲＣ層に送信される（ステップＳ８０５）。
【００８３】
ＡＣＣ情報（初期ＡＣＣ情報、または次のフレームについてのＡＣＣ情報）をＬ１から受信した後には、ＵＥのＲＲＣはＡＣＣ情報に対する処理（逆インターリーブを含む）を行い（ステップＳ８０６）、処理されたＡＣＣ情報をＬ１にフィードバックされて、次のフレームのＪＤにおいて用いられる（ステップＳ８０７）。
【００８４】
ＵＥのＬ１は、上記フィードバックされたＡＣＣ情報を受信した後に、まず、ＢＣＨ上で広報され、受信したシステム情報により、ダウンリンク・ビーム形成がセル内で適用されているか否かをチェックする。ダウンリンク・ビーム形成が適用されている場合には、ＵＥの物理層は、チャンネル推定によって得たアクティブなミッドアンブル、及び前のフレームのＡＣＣ専用チャンネルから読み取ったＡＣＣ情報により、実際に受信した有効なチャンネル化コードを取得し、そしてＵＥのタイムスロット中のＦＰＡＣＨがアクティブであるか否かを、ミッドアンブル・シフトによるチャンネル推定によって検出することができる（ステップＳ８０８）。セル内でダウンリンク・ビーム形成を適用していない場合には、ＢＣＨ上で広報され、受信したシステム情報により、セル内で共通ミッドアンブルを使用しているか否かについてのチェックを行うべきである（ビーム形成を適用している際には、ミッドアンブルは使用されない）。共通ミッドアンブルを使用する場合には、ミッドアンブルとチャンネル化コードとの間のデフォルトの関係、あるいはＦＰＡＣＨ用に指定された特定ミッドアンブルにより、タイムスロット中のＦＰＡＣＨがアクティブであるか否かを検出する（ステップＳ８０９）。そして、ステップＳ８０８またはステップＳ８０９の判定結果により、前のフレームのＡＣＣ専用チャンネルから読み取ったＡＣＣ情報に対する合成判定（システムが非ダウンリンクのビーム形成を用いるがデフォルトのミッドアンブルを用いる場合の、ＦＰＡＣＨの検出及び合成を含む）を実行して、前のフレームのＡＣＣ専用チャンネル内の有効なＡＣＣコード、及びアクティブなＦＰＡＣＨコードによって構成される、現在フレーム内の正確なＡＣＣ情報を取得する（ステップＳ８１０）。
【００８５】
最後に、上記の正確なＡＣＣを用いることによって、現在フレーム内の関係する物理チャンネルに対してＪＤを実行する（ステップＳ８１１）。
【００８６】
なお、上述したＡＣＣ情報取得方法は、ＵＥの発呼設定手順及び通常の通信手順に向けたものであるが、実際には、本発明が提案する方法は、ＵＥの発呼終了及びセルのハンドオーバー手順に拡張することができる。さらに、ＵＥがＡＣＣコードチャンネルを読み取る周期は10msに限定されず、割り当てられたＴＴＩの違いに応じて20msまたは40msにすることができる。さらに、本発明が提案する方法は、ごくわずかな変更をすれば、3.84Mbps及び7.86MbpsのＴＤＤシステムに提供することができる。
【００８７】
上述した、ＴＤ−ＳＣＤＭＡシステムにおけるＡＣＣ情報を取得する方法は、コンピュータ・ソフトウェア、コンピュータ・ハードウェア、及びこれらの組合せで実現することができる。
【００８８】
以下、本発明の実施例による、ＴＤ−ＳＣＤＭＡシステムにおけるＡＣＣ情報を取得してＪＤアルゴリズムを実行する方法について、ネットワークシステム及びＵＥを示す図１３のブロック図を参照しながら説明し、この図では、通常のネットワークシステム及びＵＥと同じ構成要素は図示しない。
【００８９】
図１３に示すように、まず、ネットワークシステム１０００内の検出ユニット１１００が、次のフレーム内の各タイムスロットのＡＣＣ情報を予測する。そして、送信ユニット１２００がＴＳ０中のＡＣＣ情報を、例えば２つのチャンネル化コードＣ16(5)及びＣ16(6)を利用して、ＡＣＣ専用チャンネル経由で送信する。ＡＣＣ専用チャンネルの設定については、上記の、ＡＣＣ専用チャンネル設定の節を参照することができる。
【００９０】
ネットワークシステム１０００は割り当てユニット１３００も具え、割り当てユニット１３００は、ＴＴＩ中の２番目のフレーム及びこれに後続するフレームのヘッダでは、新たなＵＥがアクセスすることのみを許可する。
【００９１】
ＴＳ０が固定のチャンネル化コード割り当て方式を用いなければならず、割り当てユニット１３００が一次チャンネル化コードを対応する二次チャンネル化コードと共にＵＥに割り当てるをように、通信プロトコルが変更された場合には、ＵＥは、検出した一次チャンネル化コードにより、二次チャンネル化コードを得ることができる。
【００９２】
ネットワークシステム１０００は埋め込みユニット１４００も具え、埋め込みユニット１４００は、次のフレームのＴＳ０が使用する二次チャンネル化コードを、ＦＰＡＣＨ情報の予約ビット中に埋め込み、ＵＥはこのＦＰＡＣＨ情報により、二次チャンネル化コードを取得することができる。
【００９３】
ネットワークシステム１０００は指定ユニット１５００も具え、指定ユニット１５００は、セル内で共通ミッドアンブルを使用し、埋め込みユニット１４００が指定情報をシステム情報中に埋め込む際に、ＦＰＡＣＨに対して特定ミッドアンブルを指定する。
【００９４】
送信ユニット１２００によって、ネットワークシステム１０００は次のフレームのＡＣＣ情報を、ＡＣＣ専用チャンネル経由で各ＵＥに送信する。
【００９５】
ＵＥ１０は：ダウンリンク信号をネットワークシステム１０００から特定タイムスロット（例えばＴＳ０）中で受信する受信ユニット１００と；このダウンリンク信号を処理して、前記タイムスロット中のアクティブな一次及び二次チャンネル化コードを取得する処理ユニット２００と；前記一次及び二次チャンネル化コードを用いることによって、前記ダウンリンク信号に対してＪＤアルゴリズムを実行して、次のフレームにおけるＪＤにおいて使用する初期ＡＣＣ情報を取得する実行ユニット３００とを具えている。
【００９６】
ここで、処理ユニット２００は：前記ダウンリンク信号に対してチャンネル推定を実行して、前記タイムスロット中のアクティブな一次チャンネル化コードを取得する一次チャンネル化コード特定ユニット２１０と；上記チャンネル化コード割り当て規則における一次チャンネル化コードと二次チャンネル化コードとの関係により、前記特定タイムスロット中のアクティブな二次チャンネル化コードを特定するか、あるいは、上記ＦＰＡＣＨ情報中の予約ビットによって構成される二次チャンネル化コード表示により、前記特定タイムスロット中のアクティブな二次チャンネル化コードを特定する二次チャンネル化コード特定ユニット２２０とを具えている。
【００９７】
実行ユニット３００は、図１２のステップＳ８０５を実行する。ＵＥが発呼設定手順中である場合には、実行ユニット３００は、一次及び二次チャンネル化コードを用いることによって、ＡＣＣ専用チャンネルに対してＪＤを実行して、次のフレーム内で用いるための初期ＡＣＣ情報を取得して、この初期ＡＣＣ情報をＵＥのＲＲＣ層に送信する。ＵＥが通信手順中である場合には、前のフレーム内でＡＣＣ専用チャンネルから読み取ったＡＣＣ情報を用いることによって、現在フレームのＡＣＣチャンネルに対してＪＤを実行して、次のフレーム内で用いるためのＡＣＣ情報を取得し、このＡＣＣ情報をＵＥのＲＲＣ層に送信する。ＡＣＣ専用チャンネルの設定については、上記の、ＡＣＣ専用チャンネル設定の節を参照することができる。
【００９８】
ＡＣＣ情報（初期ＡＣＣ情報、または次のフレーム内で用いるためのＡＣＣ情報）を物理層から受け取った後に、ＵＥのＲＲＣはこのＡＣＣ情報に対する処理（インターリーブを含む）を実行し、処理したＡＣＣ情報は、次のフレームのＪＤにおいて用いるために上記物理層にフィードバックする。
【００９９】
ＵＥの物理層が上記フィードバックされたＡＣＣ情報を受け取った後に、判定ユニット５００は、ＢＣＨ上で広報されたシステム情報により、セル内でダウンリンク・ビーム形成が適用されているか否かを判定する。ダウンリンク・ビーム形成が適用されている場合には、判定ユニット５００は、チャンネル推定によって得られたアクティブなミッドアンブル、及び前のフレームのＡＣＣ専用チャンネルから読み取ったＡＣＣ情報により、実際に受信した有効なＡＣＣ情報を取得し、そして、（ＦＰＡＣＨが存在し得る場合には）ＵＥのタイムスロット中のＦＰＡＣＨがアクティブであるか否かを、チャンネル推定によって、そしてミッドアンブル・シフトにより判定する。
【０１００】
セル内でビーム形成が適用されていない場合には、判定ユニット５００は、共通ミッドアンブルがセル内で使用されているか否かを（ビーム形成が適用されている際には、共通ミッドアンブルは使用されていない）、ＢＣＨ上で広報され、受信したシステム情報により判定する。共通ミッドアンブルが使用されている場合には、判定ユニット５００は、タイムスロット中のＦＰＡＣＨがアクティブであるか否かを、ミッドアンブルとコードチャンネル数との間のデフォルトの仕様、またはＦＰＡＣＨ用に指定された特定ミッドアンブルにより判定する。
【０１０１】
そして、判定ユニット５００は、前のフレームのＡＣＣ専用チャンネルから読み取ったＡＣＣ情報に対して合成判定（システムがダウンリンク・ビーム形成を採用しているが、デフォルト・ミッドアンブルを使用している際の、ＦＰＡＣＨの検出及び合成を含む）を実行して、上記判定結果により、前のフレームのＡＣＣ専用チャンネル内の有効なＡＣＣ情報によって構成される、現在フレーム内の正確なアクティブ・チャンネル化コードを取得する。
【０１０２】
最後に、実行ユニット３００は、上記正確なＡＣＣ情報を用いることによって、現在のフレーム内の関係する物理チャンネルに対してＪＤを実行して、ネットワークシステムからの情報を復調する。
【０１０３】
ここで実行ユニット３００は、少なくとも無線フレーム毎に、ネットワークシステムによってＡＣＣ専用チャンネル経由で転送されるＡＣＣ情報を読み取る。
【０１０４】
図１３に示すネットワークシステム１０００内の、検出ユニット１１００は、割り当てユニット１３００、埋め込みユニット１４００、指定ユニット１５００、及びＵＥ１０内の処理ユニット２００、実行ユニット３００、及び判定ユニット５００は、本発明の上述した説明により、当業者が容易に実現することができる。
【０１０５】
（発明の効果）
以上の説明は、図面を参照した本発明の実施例の説明であり、本発明が提案する、ＴＤＤ  ＣＤＭＡシステムにおいてダウンリンクＪＤを実現する方法及び装置については、ＴＳ０中の１つのコードチャンネルを、ＡＣＣ情報を広報するためのＡＣＣ専用チャンネルとしており、従って、他の物理チャンネルの付加は増加せず、データの伝送レート及び品質は低下しない。
【０１０６】
本発明が提案する、ＵＥの発呼設定手順中にＡＣＣ情報を取得するための方法及び装置については、ＵＥは発呼設定手順中に初期ＡＣＣ情報を容易に取得することができ、同時に、通常の通信を実行中の他のＵＥも、タイムスロット中にＦＰＡＣＨが存在するか否かを知ることができ、これにより、２つの無線リソースユニットがチャンネルに固定的に割り当てられるという割り当て規則、あるいは、ミッドアンブル検出をＦＰＡＣＨの予約ビットから読み取った情報と組み合わせる方法により、チャンネル化コード情報を正確に取得することができる。
【０１０７】
さらに、共通ミッドアンブルをセル内で使用する際には、ＵＥは、タイムスロット中にＦＰＡＣＨが存在するか否かを判定して、共通ミッドアンブルの場合のチャンネル化コード情報を取得することができ、このことは、チャンネル化コード数とミッドアンブル・シフトとの間のマッピング関係に従って行い、特定ミッドアンブルをＦＰＡＣＨ用に指定するか、あるいは、使用中の共通ミッドアンブルをＵＴＲＡＮの物理層によって、ＦＰＡＣＨが存在するか否かに基づいて変更することによって行う。従って、本発明が提案する方法及び装置は、ミッドアンブルとチャンネル化コードとの間の固定の関係に限定されず、３ＧＰＰ規格における種々のミッドアンブル割り当て方式に適用可能である。
【０１０８】
さらに、本発明が提案する、ダウンリンクＪＤを実現するための方法及び装置は、基地局がダウンリンク・ビーム形成を採用する場合を考慮している。ダウンリンク・ビーム形成の場合における実際のチャンネル化コード情報は、検出したミッドアンブルに対応するチャンネル化コードをＡＣＣ専用チャンネル上で転送されたチャンネル化コードと比較することによって取得することができる。
【０１０９】
本明細書に開示するＴＤＤ  ＣＤＭＡ通信システム用のダウンリンクＪＤを実現するための方法及び装置は、請求項に規定する本発明の範囲を逸脱することなしに変更可能であることは、当業者にとって明らかである。
【図面の簡単な説明】
【０１１０】
【図１】ＴＤ−ＳＣＤＭＡシステムにおいてＵＥ側で実行されるＵＴＲＡＮとＵＥとの間の発呼設定手順を示すフローチャートである。
【図２】ＴＤ−ＳＣＤＭＡシステムにおけるダウンリンク物理チャンネルについてのリソース割り当てを示す図である。
【図３】ＴＤ−ＳＣＤＭＡシステムにおいて用いられるサブフレーム及びタイムスロット構造を示す図である。
【図４】ミッドアンブルがデフォルトの方法で割り当てられ、ミッドアンブルの最大数が８である際の、ＴＤ−ＳＣＤＭＡシステムにおけるミッドアンブルとチャンネル化コードとの関係を表わす図である。
【図５】ＴＤ−ＳＣＤＭＡシステムにおいて12.2kbpsの音声データを１ＴＴＩ（20ms）で伝送するためのマッピング手順を示す図である。
【図６】本発明の一実施例によるＴＤ−ＳＣＤＭＡシステムにおけるＡＣＣチャンネル、及びこれらのチャンネルに割り当てられたチャンネル化コードの配置を示す図である。
【図７】本発明の一実施例による、１つのＵＥの発呼設定中の、ダウンリンク物理チャンネル毎の復調及びＡＣＣ取得を示す図である。
【図８】本発明の一実施例による、ＵＥ側で実行すべきＡＣＣ読取りを伴う発呼設定手順を示す図である。
【図９】本発明の他の実施例による、１つのＵＥの発呼設定手順中の、ダウンリンク物理チャンネル毎の復調及びＡＣＣ取得を示す図である。
【図１０】本発明の他の実施例による、ＵＥ側で実行すべき、ＡＣＣの読取りを伴う発呼設定手順を示す図である。
【図１１】共通ミッドアンブル（Ｋ＝８）の場合の、ＴＤ−ＳＣＤＭＡシステムにおけるチャンネル化コード数とミッドアンブル・シフトとの間のマッピングを示す図である。
【図１２】本発明の一実施例による、ＴＤ−ＳＣＤＭＡシステムにおいてダウンリンクＪＤ手順を実現する間にＡＣＣ情報を伝送し処理するためのより上位層のシグナリング手順を示す図である。
【図１３】本発明の一実施例による、ＴＤ−ＳＣＤＭＡシステムにおけるＡＣＣ情報を取得してＪＤアルゴリズムを実現するためのネットワークシステム及びＵＥのアーキテクチャを示す図である。
【図１】
2007531371.tif 000003
【図２】
2007531371.tif 000004
【図３】
2007531371.tif 000005
【図４】
2007531371.tif 000006
【図５】
2007531371.tif 000007
【図６】
2007531371.tif 000008
【図７】
2007531371.tif 000009
【図８】
2007531371.tif 000010
【図９】
2007531371.tif 000011
【図１０】
2007531371.tif 000012
【図１１】
2007531371.tif 000013
【図１２】
2007531371.tif 000014
【図１３】
2007531371.tif 000015
【国際調査報告】
2007531371.tif 000016
2007531371.tif 000017
2007531371.tif 000018